(57)【要約】【課題】この発明はボード体と側柵との間に生じる隙間を簡単かつ確実に塞ぐことができるようにした側柵用カバーを提供することにある。【解決手段】ベッドフレーム４の長手方向の少なくとも一端にヘッドボード６が設けられるとともに、上記ベッドフレームの側部に側柵１７が上記長手方向に沿って設けられるベッド装置に用いられる側柵用カバー２３であって、この側柵用カバーは上記側柵の端部に、この端部と上記ヘッドボードとの隙間の大きさに応じて上記側柵の端部から上記ヘッドボード方向への突出長さの調整可能に設けられ、上記隙間の少なくとも上端開放部分を閉塞する。【選択図】      図３
2005160583.tif 000002
【特許請求の範囲】
【請求項１】
ベッド本体の長手方向の少なくとも一端にボード体が設けられるとともに、上記ベッド本体の側部に側柵が上記長手方向に沿って設けられるベッド装置に用いられる側柵用カバーであって、
上記側柵の端部に、この端部と上記ボード体との隙間の大きさに応じて上記側柵の端部から上記ボード体方向への突出長さの調整可能に設けられ、上記隙間の少なくとも上端開放部分を閉塞することを特徴とする側柵用カバー。
【請求項２】
一端面が開放した袋状に形成されていて、その一端面側を上記側柵の端部に被着し、上記側柵に上記ボード体方向への突出長さの調整可能に取り付けられることを特徴とする請求項１記載の側柵用カバー。
【請求項３】
上記側柵用カバーの上下端部のうちの少なくとも上部には、幅方向に沿って複数の取り付け孔が所定間隔で形成され、上記側柵には上記取り付け孔から挿入されるおねじが螺合するねじ孔が形成されていて、上記おねじを挿入する取り付け孔を選択することで、上記側柵の端部からの突出長さが調整可能であることを特徴とする請求項２記載の側柵用カバー。
【発明の詳細な説明】
【技術分野】
【０００１】
この発明はベッド装置の長手方向の端部に設けられるボード体と、側部に設けられる側柵の端部とに形成される隙間を覆うための側柵用カバーに関する。
【背景技術】
【０００２】
たとえば、介護用などのベッド装置はベッド本体を有し、このベッド本体の長手方向一端にはボード体としてのヘッドボード、他端には同じくボード体としてのフットボードが設けられている。このようなベッド装置においては、利用者や利用者に掛けられた寝具などが落下するのを防止するため、ベッド装置の側部に側柵を設けることができるようにしている。通常、上記側柵は、上記ベッド装置の側部のサイドフレームに形成された取り付け孔に着脱可能に取り付け、不要な場合には取り外すことができるようにしている。
【０００３】
上記側柵の幅寸法は、ベッド装置の長さ寸法よりも短く形成され、必要に応じて複数の側柵をベッド装置のサイドフレームに取り付けるということが行なわれている。複数の側柵をサイドフレームに取り付けると、隣り合う側柵の端部間、ヘッドボードと側柵との端部間、さらにはフットボードと側柵との端部間に隙間が生じることがあり、その場合、その隙間に物や利用者の身体の一部が挟まることがある。
【０００４】
隣り合う一対の側柵の端部間の隙間を塞ぐという技術思想は特許文献１に示されている。すなわち、特許文献１には、隣り合う一対の側柵の上部横枠部材と下部横枠部材とを外側から挟み込み架け渡すようにした、第１の連結横杆と第２の連結横杆とを有する。これら横杆の中途部にはそれぞれ支柱部材を連結し、これら支柱部材を伸縮自在に連結して固定手段で固定することで、一対の側柵間に保持固定することが示されている。
【特許文献１】特許第２８３２６９９号公報
【発明の開示】
【発明が解決しようとする課題】
【０００５】
しかしながら、特許文献１には側柵の端部とボード体との間に生じる隙間を覆うということが示されていない。しかも、特許文献１に示された技術では、側柵とボード体との上部と下部とに、それぞれ第１の連結横杆と第２の連結横杆とを架け渡すということができないから、側柵の端部とボート体との間に生じる隙間を覆うことができない。
【０００６】
この発明は、側柵の端部とボード体との間に生じる隙間を覆うことができるようにした側柵用カバーを提供することにある。
【課題を解決するための手段】
【０００７】
この発明は、ベッド本体の長手方向の少なくとも一端にボード体が設けられるとともに、上記ベッド本体の側部に側柵が上記長手方向に沿って設けられるベッド装置に用いられる側柵用カバーであって、
上記側柵の端部に、この端部と上記ボード体との隙間の大きさに応じて上記側柵の端部から上記ボード体方向への突出長さの調整可能に設けられ、上記隙間の少なくとも上端開放部分を閉塞することを特徴とする側柵用カバーにある。
【０００８】
一端面が開放した袋状に形成されていて、その一端面側を上記側柵の端部に被着し、上記側柵に上記ボード体方向への突出長さの調整可能に取り付けられることが好ましい。
【０００９】
上記側柵用カバーの上下端部のうちの少なくとも上部には、幅方向に沿って複数の取り付け孔が所定間隔で形成され、上記側柵には上記取り付け孔から挿入されるおねじが螺合するねじ孔が形成されていて、上記おねじを挿入する取り付け孔を選択することで、上記側柵の端部からの突出長さが調整可能であることが好ましい。
【発明の効果】
【００１０】
この発明によれば、側柵の端部とボード体との間に生じる隙間を覆うことができるばかりか、その隙間の大きさが一定でなくとも、確実に覆うことができる。
【発明を実施するための最良の形態】
【００１１】
以下、この発明の一実施の形態を図面を参照して説明する。
【００１２】
図１乃至図６はこの発明の第１の実施の形態を示す。図１と図２は異なるタイプの第１，第２のベッド装置１Ａ，１Ｂを示し、これらベッド装置１Ａ，１Ｂはともに四隅部にストッパ付きのキャスタ２が設けられたベースフレーム３を備えている。各ベッド装置１Ａ，１Ｂはベースフレーム３にベッド本体を構成するベッドフレーム４が上下駆動機構５によって上下動可能に設けられている。
【００１３】
上記ベッドフレーム４の長手方向一端にはボード体としてのヘッドボード６が設けられ，他端には同じくボード体としてのフットボード７が設けられている。第１のベッド装置１Ａは、ヘッドボード６とフットボード７とがこれらの内面の下端部に設けられた取り付け具８を上記ベッドフレーム４の長手方向一端と他端との上面にねじ９で連結することで取り付けられている。
【００１４】
第２のベッド装置１Ｂは、ヘッドボード６とフットボード７との幅方向両端部に脚部材１１が設けられている。一方、ベッドフレーム４の四隅部には支持孔（図示せず）が形成された支持具１２が設けられている。そして、その脚部材１１を支持具１２の支持孔に挿入することで、上記ヘッドボード６とフットボード７とがベッドフレーム４の長手方向一端と他端とに設けられている。
【００１５】
各ベッド装置１Ａ，１Ｂのベッドフレーム４上にはそれぞれ床板１５が設けられている。この床板１５は、互いに回動可能に連結された５つの床部に分割されている。つまり、中央にはベッドフレーム４に固定される固定床部１５ａが設けられている。この固定床部１５ａの一側には腰床部１５ｂと背上げ床部１５ｃとが順次回動可能に連結されている。上記固定床部１５ａの他側には第１の脚上げ床部１５ｄと第２の脚上げ床部１５ｅとが順次回動可能に連結されている。
【００１６】
上記ベッドフレーム４の下面側には背上げ機構１６が設けられている。この背上げ機構１６は、詳細は図示しないが、背上げアームと脚上げアームとを有し、背上げアームを上昇方向に駆動することで、腰上げ床部１５ｂと背上げ床部１５ｃとを起上させることができ、脚上げアームを上昇方向に駆動することで、第１の脚上げ床部１５ｄと第２の脚上げ床部１５ｅとをほぼへの字状に屈曲した状態で起上させることができるようになっている。
【００１７】
各ベッド装置１Ａ，１Ｂの幅方向両側の少なくとも一側にはそれぞれ一対の側柵１７が着脱可能に設けられている。すなわち、側柵１７は枠部材１８と、この枠部材１８の幅方向中途部に上下方向に沿って設けられた一対の脚部材１９とによって形成されていて、脚部材１９は下端部を枠部材１８の下端から下方へ突出させている。
【００１８】
上記第１のベッド装置１Ａのベッドフレーム４のサイドフレーム４ａの上面には複数の取り付け孔（図示せず）が開口形成されていて、上記側柵１７は脚部材１９の下端部を上記取り付け孔に挿入することで、ベッドフレーム４の側部に着脱可能に設けられている。
【００１９】
上記第２のベッド装置１Ｂはサイドフレーム４ａの外面に複数の筒部材２１が長手方向に所定間隔で設けられ、側柵１７は脚部材１９の下端部を上記筒部材２１に挿入することで、ベッドフレーム４の側部に着脱可能に設けられている。
【００２０】
ベッドフレーム４の側部に側柵１７を設けると、一方の側柵１７の幅方向の一端と、ヘッドボード６の前面との間、及び他方の側柵１７の幅方向の一端とフットボード７の前面との間にはそれぞれ隙間が生じる。この隙間を図１と図２に示すようにＨ１  ，Ｈ２  ，Ｆ１  ，Ｆ２  とする。
【００２１】
ところで、第１のベッド装置１Ａと第２のベッド装置１Ｂとは、ベッドフレーム４に対するヘッドボード６とフットボード７との取り付け構造の違いなどによってヘッドボード６とフットボード７間の長さが異なる。したがって、第１のベッド装置１Ａと第２のベッド装置１Ｂとでは、上記隙間のＨ１  とＨ２  が異なり、またＦ１  とＦ２  が異なることがある。
【００２２】
図３と図５に示すように、上記各隙間Ｈ１  とＨ２  及びＦ１  とＦ２  はそれぞれ側柵用カバー２３によって覆われる。すなわち、上記側柵用カバー２３は合成樹脂によって一端面が開放した袋状に形成されていて、その開放端面側は上部２４ａと下部２４ｂを残して中途部が台形状に除去された凹部２４ｃに形成されている。上記上部２４ａと下部２４ｂ（上部のみ図示）には図４と図６に示すように複数としての３つの取り付け孔２５が幅方向に所定間隔で形成されている。
【００２３】
上記側柵１７の枠部材１８の幅方向端部の上端と下端には同じく図４と図６に示すようにねじ孔２６が形成されている。そして、上記側柵用カバー２３は、側柵１７の端部に開放端側の端部を被着し、３つの取り付け孔２５のうちの１つにおねじ２７を挿入し、そのおねじ２７をねじ孔２６に捩じ込むことで、上記側柵１７に取り付け固定される。それによって、第１、第２のベッド装置１Ａ，１Ｂの上記各隙間Ｈ１  とＨ２  及びＦ１  とＦ２  が上記側柵１７の端部からヘッドボード６方向及びフットボード７方向に突出した上記側柵用カバー２３によって塞がれることになる。
【００２４】
上述したように、第１のベッド装置１Ａの各隙間Ｈ１  とＦ１  と、第２のベッド装置１Ｂの各隙間Ｈ２  、Ｆ２  とでは上述した如く間隔が異なることがある。たとえば、Ｈ１  がＨ２  よりも大きく、Ｆ１  がＦ２  よりも大きい場合、第１のベッド装置１Ａの側柵１７に設けられる側柵用カバー２３は図４に示すようにおねじ２７を３つの取り付け孔２５のうちの先端に位置する取り付け孔２５に通してねじ孔２６に捩じ込むようにし、第２のベッド装置１Ｂの側柵１７に設けられる側柵用カバー２３は図６に示すようにおねじ２７を３つの取り付け孔２５のうちの中央の取り付け孔２５に通してねじ孔２６に捩じ込むようにする。
【００２５】
それによって、第１のベッド装置１Ａと第２のベッド装置１Ｂとでは、側柵１７の幅方向端部から各ボード６，７側に突出する側柵用カバー２３の突出長さを変えることができるから、各ベッド装置１Ａ，１Ｂのボード６，７の前面と、側柵１７の端部とに生じた隙間を、その隙間の大きさが一定でなくとも、簡単かつ確実に塞ぐことが可能となる。つまり、側柵用カバー２３は、各ボード６，７の前面方向への突出長さの調整可能に上記側柵１７に取り付けることができるから、上記隙間を確実に塞ぐことができる。
【００２６】
このように、ヘッドボード６と側柵１７の端部及びフットボード７と側柵１７の端部に生じる隙間を、側柵用カバー２３によって高さ方向全長にわたって塞ぐことができるため、利用者がその隙間に手を挟んだり、物を挟むなどのことを防止することができる。
【００２７】
図７はこの発明の第２の実施の形態を示す。この実施の形態は、側柵１７の枠部材１８の幅方向両端部の上下端（上端のみ図示）には複数、たとえば３つの係合孔３１が幅方向に所定間隔で穿設されている。また、側柵用カバー２３の上部２４ａと下部２４ｂ（上部のみ図示）との内面には球形状の突起３２が一体形成されている。
【００２８】
したがって、側柵１７の端部に側柵用カバー２３を被着すると、上記突起３２が上記係合孔３１に弾性的に係合するから、側柵１７の端部に上記側柵用カバー２３を装着することができる。
【００２９】
また、側柵１７の枠部材１８には複数の係合孔３１を形成したから、突起３２を係合させる係合孔３１を選択することで、側柵用カバー２３が側柵１７の端部から突出する長さを調整することができる。
【００３０】
なお、この発明は上記各実施の形態に限定されるものでなく、たとえばベッド装置としてはフットボードがなく、ヘッドボードだけを備えている場合があり、そのようなベッド装置であっても、この発明の側柵用カバーを用いてヘッドボードと側柵との隙間を塞ぐことができる。  
側柵用カバーは、各ボードと側柵との隙間の上下方向全長を塞ぐようになっているが、少なくとも上記隙間の上端開放部分を塞ぐことができる構成であってもよい。
【図面の簡単な説明】
【００３１】
【図１】この発明の第１の実施の形態を示す第１のベッド装置の側面図。
【図２】第２のベッド装置の側面図。
【図３】第１のベッド装置の側柵に側柵用カバーを装着した側面図。
【図４】第１のベッド装置の側柵に対する側柵用カバーの装着状態の拡大断面図。
【図５】第２のベッド装置の側柵に側柵用カバーを装着した側面図。
【図６】第２のベッド装置の側柵に対する側柵用カバーの装着状態の拡大断面図。
【図７】この発明の第２の実施の形態を側柵用カバーの取り付け構造を示す拡大断面図。
【符号の説明】
【００３２】
４…ベッドフレーム（ベッド本体）、６…ヘッドボード（ボード体）、７…フットボード（ボード体）、１７…側柵、２５…取り付け孔、２６…ねじ孔、２７…おねじ。
【図１】
2005160583.tif 000003
【図２】
2005160583.tif 000004
【図３】
2005160583.tif 000005
【図４】
2005160583.tif 000006
【図５】
2005160583.tif 000007
【図６】
2005160583.tif 000008
【図７】
2005160583.tif 000009